(57)【要約】【課題】移動中に現在位置と関連するデータ放送コンテンツを視聴できるデジタル放送受信機を提供する。【解決手段】本発明によるデジタル放送受信機は、デジタル放送コンテンツを受信する受信手段(6)と、当該デジタル放送受信機の位置情報を取得する位置情報取得手段(1)と、取得した位置情報を郵便番号データに変換する変換手段(2)と、郵便番号データに変換された位置情報を記憶するNV-RAM(4)とを具え、移動中に順次取得した位置情報を郵便番号データに変換してNV-RAMに記憶する。そして、NV-RAMにアクセスして位置情報としての郵便番号データを読み出し、郵便番号データに変換された位置情報を用いて当該位置情報と関連する地域特有のデータ放送コンテンツを出力する。【選択図】  図１
2007174020.tif 000002
【特許請求の範囲】
【請求項１】
位置を取得する位置取得手段と、位置を郵便番号に変換するデータ形式変換手段と、郵便番号をデータ放送デコーダのNV-RAM領域に転送するNV-RAM書込手段とを備え、
位置取得手段によって位置情報を取得し、その位置情報をデータ形式変換手段によって郵便番号情報に変換し、変換した郵便番号情報をNV-RAM書込手段によってNV-RAMの郵便番号領域に転送することを特徴とするデータ放送受信装置。
【請求項２】
位置を取得する位置取得手段と、位置を郵便番号に変換するデータ形式変換手段と、データ放送のNV-RAM領域をエミュレートするNV-RAMエミュレート手段とを備え、
位置取得手段によって位置情報を取得し、その位置情報をデータ形式変換手段によって郵便番号情報に変換し、NV-RAMエミュレート手段によって変換した郵便番号情報の値を記憶したNV-RAMをエミュレートすることを特徴とするデータ放送受信装置。
【請求項３】
データ放送デコーダのNV-RAM領域をキャッシュメモリにキャッシュして使用するデータ放送受信装置であって、
位置を取得する位置取得手段と、位置を郵便番号に変換するデータ形式変換手段と、前記NV-RAM領域をキャッシュするキャッシュメモリと、郵便番号をキャッシュメモリに転送するキャッシュメモリ書込手段とを備え、
位置取得手段によって位置情報を取得し、その位置情報をデータ形式変換手段によって郵便番号情報に変換し、変換した郵便番号情報をキャッシュメモリ書込手段によってNV-RAMのキャッシュメモリの郵便番号領域に転送することを特徴とするデータ放送受信装置。
【請求項４】
請求項１〜３に記載のデータ放送受信装置であって、NV-RAMの郵便番号領域に対応する、NV-RAM、または、NV-RAMのキャッシュまたは、NV-RAMエミュレート手段を、合わせて複数バンク備え、
バンクを切り換えてNV-RAMの郵便番号領域をアクセス可能としたことを特徴とするデータ放送受信装置。
【請求項５】
請求項１〜４に記載のデータ放送受信装置であって、位置取得手段および／またはデータ形式変換手段は、サーバーと通信することによりその機能を実現することを特徴とするデータ放送受信装置。
【発明の詳細な説明】
【技術分野】
【０００１】
本発明は、デジタル放送の受信機に関するものである。特に、車載型受信機や携帯型受信機など、場所を移動してデータ放送を受信するデジタル放送の受信機に関するものである。
【背景技術】
【０００２】
車載型のデジタル放送受信機や携帯型のデジタル放送受信機が実用化されようとしている。これら移動式の放送受信機では、移動中に各種のデジタル放送コンテンツの提供サービスを受けることができる。一方、デジタル放送の実用化に伴い、映像及び音声コンテンツにとどまらず、多様なデータコンテンツの放送が可能になり、従来のアナログ放送に比較して高機能な放送サービスが提供されている。例えば、日本国内の各地域の視聴者に対して天気予報や交通情報がデータ放送コンテンツとして提供されている。従って、移動式のデジタル放送受信機において、種々の地域とそれぞれ関連するデータ放送コンテンツが視聴できれば、デジタル放送受信機を一層活用することができる。
【０００３】
データ放送コンテンツを視聴するデジタル放送受信機の例として、同時に複数のデータ放送コンテンツを動作させるデジタル放送受信機が既知である（例えば、「特許文献１」参照）。この既知の放送受信機では、複数のデータコンテンツをNV-RAMにより共有することにより、複数のデータコンテンツを誤りなく動作させている。
【０００４】
【特許文献１】特開2004-336537号公報
【発明の開示】
【発明が解決しようとする課題】
【０００５】
上述した特許文献に記載されたデジタル放送受信機では、NV-RAMを複数のデータコンテンツで共有することにより、複数のデータコンテンツを誤りなく動作させている。しかしながら、上記特許文献には、多様なデータコンテンツと地域ないし位置情報との関連においてデータコンテンツを有効活用することについて言及していない。すなわち、車載型又は携帯型のデジタル放送受信機の場合広い地域を移動するため、単一の地域ないし固定された位置情報と関連するデータ放送しか受信できないのでは、データ放送を有効活用できなくなってしまう。例えば、移動中に天気予報を視聴したい場合、先々の地域の天気予報が視聴できれば、データ放送を一層有効活用することができる。また、交通情報に関しても、移動中の各地域の交通情報を提供するデータ放送が視聴できれば、渋滞を避けて移動することができる。
【０００６】
本発明の目的は、移動式のデジタル放送受信機において、移動中あるいは移動後に現在位置と関連する地域のデータ放送コンテンツを視聴できるデジタル放送受信機を提供することにある。
さらに、本発明の別の目的は、複数の地域ないし位置とそれぞれ関連するデータ放送を視聴することができるデジタル放送受信機を提供することにある。
【課題を解決するための手段】
【０００７】
本発明によるデータ放送受信装置は、位置を取得する位置取得手段と、位置を郵便番号に変換するデータ形式変換手段と、郵便番号をデータ放送デコーダのNV-RAM領域に転送するNV-RAM書込手段とを備え、
位置取得手段によって位置情報を取得し、その位置情報をデータ形式変換手段によって郵便番号情報に変換し、変換した郵便番号情報をNV-RAM書込手段によってNV-RAMの郵便番号領域に転送することを特徴とする。
【０００８】
本発明によるデータ放送受信装置は、位置を取得する位置取得手段と、位置を郵便番号に変換するデータ形式変換手段と、データ放送のNV-RAM領域をエミュレートするNV-RAMエミュレート手段とを備え、
位置取得手段によって位置情報を取得し、その位置情報をデータ形式変換手段によって郵便番号情報に変換し、NV-RAMエミュレート手段によって変換した郵便番号情報の値を記憶したNV-RAMをエミュレートすることを特徴とする。
【０００９】
本発明によるデータ放送受信装置は、データ放送デコーダのNV-RAM領域をキャッシュメモリにキャッシュして使用するデータ放送受信装置であって、
位置を取得する位置取得手段と、位置を郵便番号に変換するデータ形式変換手段と、データ放送デコーダのNV-RAM領域をキャッシュするキャッシュメモリと、郵便番号をキャッシュメモリに転送するキャッシュメモリ書込手段とを備え、
位置取得手段によって位置情報を取得し、その位置情報をデータ形式変換手段によって郵便番号情報に変換し、変換した郵便番号情報をキャッシュメモリ書込手段によってNV-RAMのキャッシュメモリの郵便番号領域に転送することを特徴とする。
【発明の効果】
【００１０】
本発明では、デジタル放送におけるNV-RAMの郵便番号データ領域に、位置情報取得手段により取得される位置情報の郵便番号データを記憶しているので、移動中あるいは移動後の先々の地域に合わせたデータ放送コンテンツを視聴することができる。
【発明を実施するための最良の形態】
【００１１】
［第１実施例］
基本となる実施例を図１で説明する。図１において、符号１は位置取得手段、２はデータ形式変換手段、３はNV-RAM書込手段、４はNV-RAM（不揮発性メモリ：Non-Volatile RAM）、５は郵便番号データ領域、及び６はデータ放送受信手段をそれぞれ示す。データ放送受信手段６及びNV-RAM４は通常のデジタル放送受信機が備えている機能である。通常のデジタル放送受信機が備えている他の機能、および、他の機能との接続などについては図では省略している。また、これら通常のデジタル放送受信機が備えている機能の動作についても、特記しない部分については、通常のデジタル放送受信機の動作と基本的には変わらない。
【００１２】
通常のデジタル放送受信機の機能に加えて、位置取得手段１、データ形式変換手段２、およびNV-RAM書込手段３を備える。位置取得手段１はＧＰＳなどで、受信機の位置もしくは遠隔物体の位置などを取得して、緯度・経度などの位置データとして出力する。データ形式変換手段２は、その位置データを、対応する場所の郵便番号データに変換する。そしてNV-RAM書込手段３は、その郵便番号データを、NV-RAM４の郵便番号データ領域５に書き込む。
【００１３】
この実施例によれば、NV-RAM４の郵便番号データ領域５を参照するようなデータ放送コンテンツが、現在の位置に応じた情報を提供することを可能にする。例えば、郵便番号で登録された場所（受信機の設置場所）の天気予報を提供するデータ放送コンテンツが放送されているが、本実施例による車載受信機でこのようなコンテンツを視聴した場合、自動的に車の移動していく先々の天気予報を受けることが可能になる。そればかりでなく、受信機設置場所近辺の交通情報を提供するようなコンテンツが放送されている場合は、本実施例による車載受信機では移動先々の交通情報の提供を受けることが可能になる。
【００１４】
位置取得手段１は、ＧＰＳによる位置取得機能、携帯電話、ＰＨＳ、無線ＬＡＮなどの基地局エリアまたは複数の基地局との距離による位置取得機能、などが一般的に利用可能である。
【００１５】
データ形式変換手段２は、緯度・経度情報を郵便番号に変換する変換テーブルなどで実現することが可能である。
【００１６】
NV-RAM書込手段３は、常時あるいは一定間隔でNV-RAM４に書き込み動作を行っても良いが、NV-RAM４の寿命を考慮すると、郵便番号データが変化したときのみNV-RAM４に書き込むことが望ましい。
【００１７】
［第２実施例］  
NV-RAMの郵便番号データ領域は、NV-RAMを用いずにNV-RAMエミュレート手段で実現する実施例を、図２で説明する。
デジタル放送受信手段６及びNV-RAM４は通常のデジタル放送受信機が備えている手段である。通常のデジタル放送受信機が備えている他の機能ないし手段、および他の手段との接続などについては図では省略している。また、これら通常のデジタル放送受信機が備えている手段の動作についても、特記しない部分については、通常のデジタル放送受信機の動作と基本的に変わらない。
【００１８】
通常のデジタル放送受信機の機能ないし手段に加えて、位置取得手段１、データ形式変換手段２、NV-RAMエミュレート手段１０を備える。位置取得手段１はＧＰＳなどで、受信機の位置もしくは遠隔物体の位置などを取得して、緯度・経度などの位置データとして出力する。データ形式変換手段２は、その位置データを、対応する場所の郵便番号データに変換する。そしてNV-RAMエミュレート手段１０は、その郵便番号データがNV-RAM４の郵便番号データ領域５にあるかのごとくエミュレートする。
【００１９】
この実施例によれば、NV-RAMの郵便番号データ領域を参照するようなデータ放送コンテンツが、現在の位置に応じた情報を提供することを可能にする。例えば、郵便番号で登録された場所（受信機の設置場所）の天気予報を提供するデータ放送コンテンツが放送されているが、本実施例による車載受信機でこのようなコンテンツを視聴した場合、自動的に車の移動している先々の天気予報を受けることが可能になる。そればかりでなく、受信機設置場所近辺の交通情報を提供するようなコンテンツが放送されている場合は、本実施例による車載受信機では移動先々の交通情報を提供を受けることが可能になる。
【００２０】
位置取得手段１は、ＧＰＳによる位置取得機能、携帯電話、ＰＨＳ、無線ＬＡＮなどの基地局エリアまたは複数の基地局との距離による位置取得手段、などが一般的に利用可能である。
【００２１】
データ形式変換手段２は、緯度・経度情報を郵便番号に変換する変換テーブルなどで実現することが可能である。
【００２２】
NV-RAMエミュレート手段１０は、郵便番号データ領域５へのアクセスを検出してNV-RAM４とは別に設けた郵便番号データレジスタもしくは郵便番号データ用RAMへリダイレクトする方法、郵便番号データ領域のアドレスデコードを検出し郵便番号データレジスタもしくは郵便番号データ用RAMをセレクトする方法、などが考えられる。
【００２３】
郵便番号データ領域５のデータの更新は頻繁に起こるが、郵便番号データ領域５はNV-RAMを使用しないので、NV-RAM４の寿命を長くすることが出来る。
【００２４】
［第３実施例］
NV-RAMをキャッシュして、そのキャッシュの郵便番号領域に書き込む実施例を、図３で説明する。
デジタル放送受信手段６及びNV-RAM４は通常のデジタル放送受信機が備えている手段である。通常のデジタル放送受信機が備えている他の機能ないし手段、および他の手段との接続などについては図では省略している。また、これら通常のデジタル放送受信機が備えている手段の動作についても、特記しない部分については、通常のデジタル放送受信機の動作と基本的に変わらない。
【００２５】
通常のデジタル放送受信機の機能ないし手段に加えて、位置取得手段１、データ形式変換手段２、キャッシュメモリ書込手段２０およびキャッシュメモリ２１を備える。位置取得手段１はＧＰＳなどで、受信機の位置もしくは遠隔物体の位置などを取得して、緯度・経度などの位置データとして出力する。データ形式変換手段２は、その位置データを、対応する場所の郵便番号データに変換する。一方、キャッシュメモリ２１はNV-RAM４をキャッシュするメモリである。そしてキャッシュメモリ書込手段２０は、その郵便番号データを、キャッシュメモリ２１の郵便番号データ領域５に書き込む。
【００２６】
この実施例によれば、NV-RAMの郵便番号データ領域を参照するようなデータ放送コンテンツが、現在の位置に応じた情報を提供することを可能にする。例えば、郵便番号で登録された場所（受信機の設置場所）の天気予報を提供するデータ放送コンテンツが放送されているが、本実施例による車載受信機でこのようなコンテンツを視聴した場合、自動的に車の移動している先々の天気予報を受けることが可能になる。そればかりでなく、受信機設置場所近辺の交通情報を提供するようなコンテンツが放送されている場合は、本実施例による車載受信機では移動先々の交通情報を提供を受けることが可能になる。
【００２７】
位置取得手段１は、ＧＰＳによる位置取得機能、携帯電話、ＰＨＳ、無線ＬＡＮなどの基地局エリアまたは複数の基地局との距離による位置取得機能、などが一般的に利用可能である。
【００２８】
データ形式変換手段２は、緯度・経度情報を郵便番号に変換する変換テーブルなどで実現することが可能である。
【００２９】
キャッシュメモリ２１は、NV-RAM４をキャッシュする。例えば、電源ＯＮ時にNV-RAM４のデータをキャッシュメモリ２１に読み込み、電源ＯＦＦ時にキャッシュメモリ２１のデータをNV-RAM４に書き戻す。あるいは、電源ＯＮ時にNV-RAM４のデータをキャッシュメモリ２１に書き込み、郵便番号データ領域２２以外で書き込みがあったメモリセルについてのみ、電源OFF時にキャッシュメモリ２１のデータをNV-RAM４に書き戻す。
【００３０】
キャッシュメモリ書込手段２０は、常時、一定の時間間隔で、あるいは郵便番号データが変化したとき郵便番号データをキャッシュメモリ２１に書き込む。
【００３１】
郵便番号データ領域はデータの更新が頻繁に起こるが、キャッシュからNV-RAMへの書き戻し（ライトバック）は頻繁には起こらないので、NV-RAMの寿命を長くすることが出来る。
【００３２】
通常のデジタル放送受信機では、NV-RAM領域の書き換えはそう頻繁に起こらない。従って、キャッシュメモリの効果は限定なものであった。一方、本発明のデジタル放送受信機では、受信機の移動に伴いNV-RAM領域の書き換えが頻繁に起こるため、キャッシュメモリの効果が十分に発揮される。
【００３３】
［第４実施例］
位置取得手段およびデータ形式変換手段は、全ての演算を受信機側で行うものに限らず、図４に示すように通信伝送路を介して基地局のサーバー機能と連携することによってそれぞれの機能を実現するものであっても良い。
例えば、位置取得手段１は通信を介して基地局側の位置取得サーバー手段３０と協調動作し、受信機の位置を取得する構成が考えられる。ＧＰＳによる位置データの取得は、受信機単独でも可能であるが計算量が多いので、受信機ではＧＰＳ衛星を受信した生データのみを扱い、生データから緯度・経度を計算することはサーバー側で行わせれば、受信機が簡単になる可能性がある。
【００３４】
また、データ形式変換手段についても通信を介して基地局側のデータ形式変換サーバー３１と協調動作し、位置情報を郵便番号に変換する構成が考えられる。緯度・経度から郵便番号への変換をテーブルで行うとして、相当量のテーブルが必要である。これは小規模な受信機では負担が大きいかもしれないので、変換テーブルをサーバー側で持つようにすれば、受信機が簡単になる可能性がある。
【００３５】
位置取得手段１およびデータ形式変換手段２のサーバーとの連携は、それぞれ独立して設計可能である。位置取得手段１とデータ形式変換手段の、両方がサーバーとの連係動作であっても良いし、片方だけがサーバーとの連係動作であっても良い。
【００３６】
［第５実施例］
NV-RAMの郵便番号データをNV-RAMエミュレート手段で実現する例について前述した実施例で説明したが、この構成を基本にしてNV-RAMの郵便番号データ領域を、本来のNV-RAM（通常の設置場所）とNV-RAMエミュレート手段（現在位置など）が切り換えられる構成にした実施例を図５に示す。
デジタル放送受信手段６及びNV-RAM４は通常のデジタル放送受信機が備えている手段である。通常のデジタル放送受信機が備えている他の機能ないし手段、および他の手段との接続などについては図では省略している。また、これら通常のデジタル放送受信機が備えている手段の動作についても、特記しない部分については、通常のデジタル放送受信機の動作と基本的に変わらない。
【００３７】
通常のデジタル放送受信機の機能ないし手段に加えて、位置取得手段１、データ形式変換手段２およびNV-RAMエミュレート手段１０を備える。位置取得手段１はＧＰＳなどで、受信機の位置もしくは遠隔物体の位置などを取得して、緯度・経度などの位置データとして出力する。データ形式変換手段２は、その位置データを、対応する場所の郵便番号データに変換する。一方、キャッシュメモリ２１はNV-RAM４をキャッシュするメモリである。そしてNV-RAMエミュレート手段１０は、その位置データを、その郵便番号データがNV-RAM４の郵便番号データ領域５にあるかのごとくエミュレートする。同時に、郵便番号データ領域５は本来のNV-RAM４にも存在し、両者は切り換えて使用する。
【００３８】
この実施例によれば、NV-RAMの郵便番号データ領域を参照するようなデータ放送コンテンツは、本来のNV-RAMに書き込まれている情報と、現在の位置に応じた情報とを切り換えて参照し、それに従った情報を提供することを可能にする。例えば、郵便番号で登録された場所（受信機の設置場所）の天気予報を提供するデータ放送コンテンツが放送されているが、本実施例による車載受信機でこのようなコンテンツを視聴した場合、NV-RAMに登録した位置（自宅の住所）の天気予報と、自動的に車の移動していく先々の天気予報とを切り換えて情報を受け取ることが可能になる。そればかりでなく、受信機設置場所近辺の交通情報を提供するようなコンテンツが放送されている場合は、本実施例による車載受信機では、自宅付近の交通情報と移動先々の交通情報とを切り換えて提供を受けることが可能になる。
【００３９】
ここではNV-RAMには受信機の設置場所（自宅住所）の郵便番号をプリセットするとして説明したが、これに限らず目的地の郵便番号をプリセットしても良い。また、NV-RAMを複数バンク設けて、受信機の設置場所（自宅住所）とともに、目的地など複数個所の郵便番号をプリセットする構成にしても良い。この場合、複数のプリセットされたNV-RAMと、さらにNV-RAMエミュレート手段とを切り換えて使用する。受信機の設置場所（自宅住所）以外の郵便番号を使用者が記憶しているとは限らないので、住所等から郵便番号を求める手段であるデータ形式変換手段II４０（位置情報から郵便番号情報に変換するデータ形式変換手段とは、入力情報の形式が異なる場合があるのでデータ形式変換手段IIとした）、それをNV-RAMに書き込む手段であるNV-RAM書込手段４１を備え場合もある。この構成を図６に示す。なお、データ形式変換手段IIについても、図４に示す実施例と同様に基地局のサーバー機能と連係動作する構成があっても良い。
【００４０】
なお、図５の構成例は図２の実施例の構成を基本にしたものであるが、図１、図３の実施例の構成を基本にしても同様の目的および機能を実施可能である。
【００４１】
NV-RAMの郵便番号データ領域とは、ARIB STD B-24に示される、navram://receiverinfo/zipcode のＵＲＬで示される郵便番号を記憶する領域のことである。
【図面の簡単な説明】
【００４２】
【図１】本発明によるデジタル放送受信機の第１実施例を示す線図である。
【図２】本発明によるデジタル放送受信機の第２実施例を示す線図である。
【図３】本発明によるデジタル放送受信機の第３実施例を示す線図である。
【図４】本発明によるデジタル放送受信機の第４実施例を示す線図である。
【図５】本発明によるデジタル放送受信機の第５実施例を示す線図である。
【図６】本発明によるデジタル放送受信機の第６実施例を示す線図である。
【符号の説明】
【００４３】
１  位置取得手段
２  データ形式変換手段
３  NV-RAM書込手段
４  NV-RAM
５  郵便番号データ領域
６  データ放送受信手段
１０  NV-RAMエミュレート手段
２０  キャッシュメモリ書込手段
２１  キャッシュメモリ
３０  データ形式変換手段II
３１  NV-RAM書込手段
４０  データ形式変換手段II  
４１  NV-RAM書込手段
【図１】
2007174020.tif 000003
【図２】
2007174020.tif 000004
【図３】
2007174020.tif 000005
【図４】
2007174020.tif 000006
【図５】
2007174020.tif 000007
【図６】
2007174020.tif 000008